(57)【要約】【課題】無線フレームの構成情報を効率的に送受信する。【解決手段】無線基地局１と移動局２とは、無線フレームを用いて通信を行う。無線基地局１の受信部１ａは、無線フレームの所定の領域で所定のコードを受信する。無線基地局１の送信部１ｂは、受信部１ａが所定のコードを受信すると、無線フレームの構成を示す構成情報を報知する。移動局２の送信部２ａは、無線フレームの所定の領域で無線基地局１に所定のコードを送信する。移動局２の受信部２ｂは、無線基地局１から送信部２ａが送信した所定のコードに応答して報知される構成情報を受信する。【選択図】図１
2010034625.tif 000002
【特許請求の範囲】
【請求項１】
無線フレームを用いて移動局と通信する無線基地局であって、
前記無線フレームの所定の領域で前記移動局から所定のコードを受信する受信部と、
前記受信部が前記所定のコードを受信すると、前記無線フレームの構成を示す構成情報を報知する送信部と、
を有することを特徴とする無線基地局。
【請求項２】
前記送信部は、前記受信部が前記所定のコードとして前記構成情報の要求を示すコードを受信すると、前記構成情報を報知することを特徴とする請求項１記載の無線基地局。
【請求項３】
前記送信部は、前記受信部が前記所定のコードとして前記移動局のネットワークエントリを示すコードを受信すると、前記構成情報を報知することを特徴とする請求項１記載の無線基地局。
【請求項４】
前記送信部は、前記受信部が前記所定のコードとして受信したコードの種類に応じた回数、前記構成情報を報知することを特徴とする請求項１記載の無線基地局。
【請求項５】
無線フレームを用いて無線基地局と通信する移動局であって、
前記無線フレームの所定の領域で前記無線基地局に所定のコードを送信する送信部と、
前記無線基地局から、前記送信部が送信した前記所定のコードに応答して報知される、前記無線フレームの構成を示す構成情報を受信する受信部と、
を有することを特徴とする移動局。
【請求項６】
前記無線フレームは、当該無線フレームの構成のバージョンを示す情報を含んでおり、
前記送信部は、取得済みの構成情報に対応するバージョンが現在の無線フレームのバージョンと異なる場合、前記所定のコードを送信する、
ことを特徴とする請求項５記載の移動局。
【請求項７】
前記送信部は、ハンドオーバ元の無線基地局から取得したハンドオーバ先の無線基地局の構成情報に対応するバージョンが、前記ハンドオーバ先の無線基地局の無線フレームのバージョンと異なる場合、前記所定のコードを送信することを特徴とする請求項６記載の移動局。
【請求項８】
前記受信部は、前記送信部が前記所定のコードとしてネットワークエントリを示すコードを送信した後に報知される前記構成情報を受信することを特徴とする請求項５記載の移動局。
【請求項９】
無線フレームを用いて通信する無線通信システムであって、
前記無線フレームの所定の領域で所定のコードを受信する第１の受信部と、
前記第１の受信部が前記所定のコードを受信すると、前記無線フレームの構成を示す構成情報を報知する第１の送信部と、
を備える無線基地局と、
前記所定の領域で前記無線基地局に前記所定のコードを送信する第２の送信部と、
前記無線基地局から、前記第２の送信部が送信した前記所定のコードに応答して報知される前記構成情報を受信する第２の受信部と、
を備える移動局と、
を有することを特徴とする無線通信システム。
【請求項１０】
無線基地局と移動局とが無線フレームを用いて通信する無線通信システムの無線通信方法であって、
前記移動局が、前記無線フレームの所定の領域で前記無線基地局に所定のコードを送信し、
前記無線基地局が、前記所定の領域で前記移動局から前記所定のコードを受信し、
前記無線基地局が、前記所定のコードを受信すると、前記無線フレームの構成を示す構成情報を報知し、
前記移動局が、前記無線基地局から、送信した前記所定のコードに応答して報知される前記構成情報を受信する、
ことを特徴とする無線通信方法。
【発明の詳細な説明】
【技術分野】
【０００１】
本件は無線基地局、移動局、無線通信システムおよび無線通信方法に関し、例えば無線フレームを用いて通信する無線基地局、移動局、無線通信システムおよび無線通信方法に関する。
【背景技術】
【０００２】
移動通信の分野では、１つの無線基地局が複数の移動局と同時に通信可能なＰＭＰ（Point-to-MultiPoint）型の通信システムが多く用いられている。近年議論されている次世代の移動通信システムであるモバイルＷｉＭＡＸ（Worldwide Interoperability for Microwave Access）では、ＰＭＰ型の無線通信を実現する通信方式として直交周波数分割多元接続（ＯＦＤＭＡ：Orthogonal Frequency Division Multiple Access）方式が適用される。
【０００３】
このようなＰＭＰ型の移動通信システムでは、無線基地局側で通信が制御される。無線基地局は、移動局との通信に用いる無線リソースの割り当てを集中管理する。ここで、無線基地局は、無線リソースを周波数軸および時間軸で区切った所定周期の無線フレーム単位で管理する。無線フレームの基本構成（各種タイミング、フレーム長および変調符合化方式等）は、管理する無線基地局毎に異なる場合がある。このため、移動局はデータ通信を行う前に、通信相手の無線基地局が管理する無線フレームの基本構成を認識するのが望ましい。
【０００４】
これに対し、無線基地局が、無線フレームの基本構成を示す構成情報（チャネル記述子）を定期的に報知（ブロードキャスト送信）することが考えられる。例えば、モバイルＷｉＭＡＸでは、無線フレームは時間軸上で分割され、下りリンク用のＤＬ（Down Link）サブフレームおよび上りリンク用のＵＬ（Up Link）サブフレームが設けられる。この場合、チャネル記述子として、ＤＬサブフレームの構成を示すＤＣＤ（Downlink Channel Descriptor）およびＵＬサブフレームの構成を示すＵＣＤ（Uplink Channel Descriptor）が用いられる。そして、無線基地局が、これらのチャネル記述子を定期的に（例えば、１０秒間隔）で報知することが考えられる。
【０００５】
移動局は、例えば自局起動時に、無線基地局から定期配信されるチャネル記述子を受信する。そして、移動局は、チャネル記述子により認識したフレーム構成に基づいて、無線基地局との接続を確立する（レンジング（Ranging）処理）。すなわち、移動局は、レンジング処理を開始する前に、定期的に報知されるチャネル記述子によって無線基地局の無線フレームの基本構成を認識する。レンジング処理完了後に、無線基地局と移動局とは、ユーザデータの送受信を開始することが可能となる。
【０００６】
なお、移動局が認識しているチャネル記述子と現在通信相手の無線基地局のチャネル記述子とが一致していない場合も考えられる。このため、毎フレームで送信されるＤＬサブフレームの各移動局へのリソース割り当て情報（ＤＬ−ＭＡＰ情報）にチャネル記述子のバージョンを示すカウントを挿入し、移動局に対してチャネル記述子の更新状況を通知する技術がある（例えば、特許文献１参照）。
【特許文献１】特表２００７−５１１９７５号公報
【発明の開示】
【発明が解決しようとする課題】
【０００７】
ところで、チャネル記述子はデータ量が大きい。このため、定期的にチャネル記述子を報知する方式では、報知間隔が短いと無線リソースが圧迫されるという課題がある。一方、報知間隔が長いと、レンジング処理を開始したい場合でも、次回のチャネル記述子の報知タイミングまで待つので、これにより遅延が発生する可能性があるという課題がある。
【０００８】
本件はこのような点に鑑みてなされたものであり、無線フレームの構成情報を効率的に送受信することが可能な無線基地局、移動局、無線通信システムおよび無線通信方法を提供することを目的とする。
【課題を解決するための手段】
【０００９】
上記課題を解決するために、無線フレームを用いて移動局と通信する無線基地局が提供される。この無線基地局は、受信部および送信部を有する。受信部は、無線フレームの所定の領域で移動局から所定のコードを受信する。送信部は、受信部が所定のコードを受信すると、無線フレームの構成を示す構成情報を報知する。
【００１０】
このような無線基地局によれば、受信部により、無線フレームの所定の領域で移動局からの所定のコードが受信される。そして、受信部が所定のコードを受信すると、無線フレームの構成を示す構成情報が報知される。
【００１１】
また、上記課題を解決するために、無線フレームを用いて無線基地局と通信する移動局が提供される。この移動局は、送信部および受信部を有する。送信部は、無線フレームの所定の領域で無線基地局に所定のコードを送信する。受信部は、無線基地局から送信部が送信した所定のコードに応答して報知される、無線フレームの構成を示す構成情報を受信する。
【００１２】
このような移動局によれば、送信部により、無線フレームの所定の領域で無線基地局に所定のコードが送信される。そして、受信部により、無線基地局から送信部が送信した所定のコードに応答して報知される、無線フレームの構成を示す構成情報が受信される。
【００１３】
また、上記課題を解決するために上記無線基地局および上記移動局を有する無線通信システムが提供される。
また、上記課題を解決するために上記無線通信システムと同様の処理を行う無線通信方法が提供される。
【発明の効果】
【００１４】
上記無線基地局、移動局、無線通信システムおよび無線通信方法によれば、無線フレームの構成情報を効率的に送受信することが可能となる。
【発明を実施するための最良の形態】
【００１５】
以下、本実施の形態を図面を参照して詳細に説明する。
図１は、無線通信システムの概要を示す図である。この無線通信システムは、無線基地局１および移動局２を有する。無線基地局１は、移動局２と無線通信を行う通信装置である。無線基地局１および移動局２は、無線リソースを所定の周波数帯および時間帯で区切った無線フレームを用いて通信を行う。無線フレームは、無線基地局１により管理される。無線基地局１は、受信部１ａおよび送信部１ｂを有する。
【００１６】
受信部１ａは、無線フレームの所定の領域で移動局２から所定のコードを受信する。
送信部１ｂは、受信部１ａが所定のコードを受信すると、無線フレームの構成情報であるチャネル記述子を報知する。
【００１７】
移動局２は、無線基地局１と無線通信が可能な無線端末装置である。移動局２は、無線基地局１から割り当てられた無線フレーム内のリソースを用いて無線基地局１と通信する。移動局２は、送信部２ａおよび受信部２ｂを有する。
【００１８】
送信部２ａは、無線フレームの所定の領域で、無線基地局１に所定のコードを送信する。
受信部２ｂは、送信部２ａが送信した所定のコードに応答して報知される、無線フレームの構成を示すチャネル記述子を受信する。
【００１９】
ここで、無線フレームには、移動局２が上記所定のコードを送信するための所定の領域が存在する。この所定の領域は、無線基地局１と移動局２との間で予め合意がなされている。すなわち、移動局２は、チャネル記述子を取得していなくても、少なくともこの所定の領域のリソースを用いることで上記所定のコードを無線基地局１に送信することができる。
【００２０】
このような無線通信システムによれば、無線基地局１は、移動局２からの所定のコードによる要求に応じてチャネル記述子を報知する。これにより、移動局２は、自局の必要に応じてチャネル記述子を要求し、レンジング処理を開始することができる。また、データ量の大きなチャネル記述子が必要なとき以外には送信されないため、従来の定期的に報知する方法に比べて無線リソースに対するオーバーヘッドが軽減される。また、レンジング処理開始までに生じ得る遅延が発生しなくなる。
【００２１】
すなわち、無線リソースを圧迫することなく、かつ、遅延も抑止した効率的な通信が可能となる。
図２は、無線通信システムのシステム構成を示す図である。この無線通信システムは、無線基地局１００，１００ａおよび移動局２００を有する。
【００２２】
無線基地局１００，１００ａは、自局セル内に存在する複数の移動局と無線通信を行う通信装置である。
移動局２００は、無線基地局１００のセル内に存在し、無線基地局１００と無線通信が可能な無線端末装置であり、例えば、携帯電話機である。移動局２００は、送信すべきユーザデータや制御メッセージがあるときは、無線基地局１００から無線リソースの割り当てを受け、割り当てられた無線リソースを用いて送信を行う。また、無線基地局１００からの受信信号に自局宛てのユーザデータや制御メッセージが含まれていることを検知すると、これを抽出して取り込む。
【００２３】
この無線通信システムで用いられる通信方式には、例えば、直交周波数分割多元接続（ＯＦＤＭＡ）方式が用いられる。また、複信方式として、時分割複信（ＴＤＤ：Time Division Duplex）が用いられる。この場合、無線フレーム内に移動局２００へのデータ送信用の時間帯であるＤＬサブフレーム、および移動局２００からのデータ受信用の時間帯であるＵＬサブフレームが設けられる。ＤＬ／ＵＬサブフレームの構成に関しては、図５で詳細に説明する。ＤＬ／ＵＬサブフレームの基本構成は、無線基地局１００がチャネル記述子であるＤＣＤ／ＵＣＤを自セル内に報知することで移動局２００に示される。
【００２４】
また、移動局２００は、無線基地局１００との間でレンジング処理を行うために、無線フレーム内に割り当てられたレンジング領域と呼ばれる領域のリソースを用いてレンジングコードを送信する。レンジングコードには、複数のレンジング処理に対応するコードが予め指定される。移動局２００は、レンジング処理に応じたレンジングコードを生成して、無線基地局１００に送信する。無線基地局１００は、受信した所定のレンジングコードに応じたレンジング処理を開始する。
【００２５】
以下、無線基地局１００および移動局２００の構成に関して説明する。なお、無線基地局１００ａの構成は、無線基地局１００の構成と同様である。
図３は、無線基地局を示すブロック図である。無線基地局１００は、アンテナ１１０、無線処理部１２０、制御部１３０および有線連結部１４０を有する。
【００２６】
アンテナ１１０は、送信・受信共用アンテナである。アンテナ１１０は、無線処理部１２０から取得する送信信号を無線出力する。また、アンテナ１１０は、無線信号を受信して無線処理部１２０に出力する。
【００２７】
無線処理部１２０は、制御部１３０から取得するベースバンド信号を送信信号に周波数変換して、アンテナ１１０に出力する。また、無線処理部１２０は、アンテナ１１０から取得する受信信号をベースバンド信号に周波数変換して制御部１３０に出力する。また、無線処理部１２０は、受信信号の品質測定を行い、測定結果を制御部１３０に出力する。無線処理部１２０は、無線通信部１２１および品質測定部１２２を有する。
【００２８】
無線通信部１２１は、アンテナ１１０から取得する受信信号をＲＦ（Radio Frequency）帯からベースバンド帯に変換してベースバンド信号を取得し、制御部１３０に出力する。また、無線通信部１２１は、受信信号を品質測定部１２２に出力する。また、無線通信部１２１は、制御部１３０から取得するベースバンド信号をＲＦ帯の信号に変換して送信信号を生成し、アンテナ１１０に出力する。
【００２９】
品質測定部１２２は、無線通信部１２１から取得する信号に基づいて、受信電力レベル等の上りリンク無線品質を測定する。品質測定部１２２は、品質測定結果を制御部１３０に出力する。
【００３０】
制御部１３０は、移動局２００から取得するレンジングコードに応じたレンジング処理や移動局２００とのユーザデータの送受信を制御する。制御部１３０は、受信処理部１３１、通信制御部１３２、コード受信部１３３、メッセージ生成部１３４、スケジューラ１３５および送信処理部１３６を有する。
【００３１】
受信処理部１３１は、無線処理部１２０からベースバンド信号を取得すると、無線フレーム内のレンジング領域の信号を抽出し、コード受信部１３３に出力する。また、受信処理部１３１は、取得したベースバンド信号を復調・復号する。そして、復調・復号により得られたデータを通信制御部１３２に出力する。
【００３２】
通信制御部１３２は、無線基地局１００における送信処理および受信処理を制御する。通信制御部１３２は、受信処理部１３１から取得するデータから制御メッセージとユーザデータとを抽出する。ここで、移動局２００からの制御メッセージには、例えば、送信電力レベルの情報や品質測定結果等が含まれる。そして、通信制御部１３２は、抽出した制御メッセージや品質測定部１２２から取得する品質測定結果に基づいて、メッセージ生成部１３４に移動局２００宛の制御メッセージの生成を指示する。また、抽出したユーザデータを有線連結部１４０に出力する。更に、通信制御部１３２は、有線連結部１４０から移動局２００に送信するユーザデータを取得する。通信制御部１３２は、ユーザデータの取得状況をスケジューラ１３５に通知する（図３では、関連線省略）。また、通信制御部１３２は、取得したユーザデータを送信処理部１３６に出力する（図３では、関連線省略）。
【００３３】
コード受信部１３３は、受信処理部１３１から取得するレンジング領域の信号と所定の複数のレンジングコードとを照合し、取得した信号が何れのレンジングコードを示すものか判定する。また、コード受信部１３３は、取得した信号に基づいて、受信電力レベルや上りリンクの無線品質、受信タイミングなどを測定する。そして、コード受信部１３３は、レンジングコードの判定結果および各種測定結果をメッセージ生成部１３４に通知する。
【００３４】
メッセージ生成部１３４は、コード受信部１３３から取得するレンジングコードの情報や通信制御部１３２からの指示に基づいて、制御メッセージを生成する。ここで、生成される制御メッセージには、例えば、コード受信部１３３の品質測定結果に基づく受信電力レベルや受信タイミングの調整指示が含まれる。また、レンジング処理等の必要に応じて移動局２００の送信電力レベルの情報や品質測定結果の要求および品質測定部１２２の品質測定結果に基づく調整指示等を含んでも良い。また、メッセージ生成部１３４は、無線フレームの基本構成が変更された場合には、その構成を示すチャネル記述子であるＤＣＤやＵＣＤを更新する。そして、メッセージ生成部１３４は、生成した制御メッセージをスケジューラ１３５に出力する。なお、メッセージ生成部１３４は、受け付けたレンジングコードに応じてＤＣＤやＵＣＤの送信回数を決定する。更に、メッセージ生成部１３４は、コード受信部１３３から取得するレンジングコードの情報や通信制御部１３２からの指示をスケジューラ１３５に通知する。
【００３５】
スケジューラ１３５は、メッセージ生成部１３４からの通知に基づいて、上りリンクの無線リソース（ＵＬサブフレーム）の割り当て制御を行い、割り当て結果を示すＵＬ−ＭＡＰ情報を生成する。また、メッセージ生成部１３４は、通信制御部１３２のユーザデータの取得状況に基づいて、下りリンクの無線リソース（ＤＬサブフレーム）の割り当て制御を行い、割り当て結果を示すＤＬ−ＭＡＰ情報を生成する。
【００３６】
更に、スケジューラ１３５は、移動局２００から所定のレンジングコードを受け付けている場合には、ＤＬサブフレームの所定の領域にＤＣＤやＵＣＤを割り当てる。なお、スケジューラ１３５は、メッセージ生成部１３４によりＤＣＤが更新された場合には、ＤＬ−ＭＡＰ情報に含まれるＤＣＤカウント値を、例えばカウントアップする。同様に、ＵＣＤが更新された場合には、ＵＬ−ＭＡＰ情報に含まれるＵＣＤカウント値を、例えばカウントアップする。このカウント値により、移動局２００に対してＤＣＤ／ＵＣＤの更新状況を通知することができる。スケジューラ１３５は、生成したＤＬ−ＭＡＰ情報およびＵＬ−ＭＡＰ情報を送信処理部１３６に出力する。
【００３７】
送信処理部１３６は、スケジューラ１３５から取得するＤＬ／ＵＬ−ＭＡＰ情報や通信制御部１３２から取得する次回送信のユーザデータおよびＤＣＤ／ＵＣＤを用いて無線区間の伝送単位（ＰＤＵ：Protocol Data Unit）としての無線フレームデータを生成する。そして、送信処理部１３６は、生成した無線フレームデータを符号化・変調してベースバンド信号を生成し、生成したベースバンド信号を無線処理部１２０に出力する。
【００３８】
有線連結部１４０は、上位局や他の無線通信装置とデータを送受信するネットワークインタフェースである。有線連結部１４０は、通信制御部１３２から取得するデータをネットワーク側に送信する。また、ネットワーク側から受信するデータを通信制御部１３２に出力する。
【００３９】
図４は、移動局を示すブロック図である。移動局２００は、アンテナ２１０、無線処理部２２０および制御部２３０を有する。
アンテナ２１０は、送信・受信共用アンテナである。アンテナ２１０は、無線処理部２２０から取得する送信信号を無線出力する。また、アンテナ２１０は、無線信号を受信して無線処理部２２０に出力する。
【００４０】
無線処理部２２０は、制御部２３０から取得するベースバンド信号を送信信号に周波数変換して、アンテナ２１０に出力する。また、無線処理部２２０は、アンテナ２１０から取得する受信信号をベースバンド信号に周波数変換して制御部２３０に出力する。また、無線処理部２２０は、受信信号の品質測定を行い、測定結果を制御部２３０に出力する。無線処理部２２０は、無線通信部２２１および品質測定部２２２を有する。
【００４１】
無線通信部２２１は、アンテナ２１０から取得する受信信号をＲＦ帯からベースバンド帯に変換してベースバンド信号を取得し、制御部２３０に出力する。また、無線通信部２２１は、受信信号を必要に応じて品質測定部２２２に出力する。更に、無線通信部２２１は、制御部２３０から取得するベースバンド信号をＲＦ帯の信号に変換して送信信号を生成し、アンテナ２１０に出力する。
【００４２】
品質測定部２２２は、取得した信号に基づいて、受信信号の受信電力レベルや受信タイミング等の上りリンク無線品質を測定する。品質測定部２２２は、無線品質の測定結果を制御部２３０に出力する。
【００４３】
制御部２３０は、無線基地局１００とのレンジング処理やユーザデータの送受信を制御する。制御部２３０は、受信処理部２３１、通信制御部２３２、基地局情報記憶部２３３、メッセージ生成部２３４、コード生成部２３５および送信処理部２３６を有する。
【００４４】
受信処理部２３１は、無線処理部２２０から取得するベースバンド信号を復調・復号し、無線フレームに含まれるＤＬ−ＭＡＰ情報に基づいて、ＤＣＤ／ＵＣＤや自局宛の制御メッセージおよびユーザデータを取得する。受信処理部２３１は、取得したＤＣＤ等のデータやＵＬ−ＭＡＰ情報を通信制御部２３２に出力する。
【００４５】
通信制御部２３２は、受信処理部２３１から取得するＤＣＤ／ＵＣＤを基地局情報記憶部２３３に格納する。通信制御部２３２は、データ送受信の際には、必要に応じてＤＣＤやＵＣＤを参照し、無線フレームのフレーム長等の基本構成を把握し受信処理部２３１や送信処理部２３６に通知する。また、通信制御部２３２は、受信処理部２３１から取得する制御メッセージに応じて、無線基地局１００の指示による送信電力レベルや送信タイミング調整を実行すると共に、メッセージ生成部２３４に制御メッセージの生成を指示する。更に、通信制御部２３２は、受信処理部２３１より取得するＵＬ−ＭＡＰ情報を送信処理部２３６に出力する。
【００４６】
また、通信制御部２３２は、必要に応じてコード生成部２３５にレンジング処理を開始するためのレンジングコードを生成するよう指示する。レンジングコードの生成のタイミングは、例えば、自局起動時に無線基地局１００に対してネットワークエントリを行う場合がある。また、その他の場合として、基地局情報記憶部２３３に格納されたＤＣＤ／ＵＣＤが更新されたことを検知した場合がある。これは、ＤＬ−ＭＡＰ情報に含まれるＤＣＤカウント値およびＵＬ−ＭＡＰ情報に含まれるＵＣＤカウント値を参照して把握することができる。通信制御部２３２は、各処理に応じたレンジングコードの生成をコード生成部２３５に指示する。
【００４７】
基地局情報記憶部２３３は、無線基地局１００，１００ａのＤＣＤ／ＵＣＤを記憶する。
メッセージ生成部２３４は、通信制御部２３２からの指示に基づいて制御メッセージを生成する。ここで生成される制御メッセージには、ユーザデータの受信に対する確認応答、現在の送信電力レベルや品質測定結果の応答などが含まれる。メッセージ生成部２３４は、生成した制御メッセージを送信処理部２３６に出力する。
【００４８】
コード生成部２３５は、通信制御部２３２からの指示に基づいてレンジングコードを生成する。コード生成部２３５は、生成したレンジングコードを送信処理部２３６に出力する。
【００４９】
送信処理部２３６は、通信制御部２３２より取得するＵＬ−ＭＡＰ情報やメッセージ生成部２３４から取得する制御メッセージを用いて、無線フレームデータを生成する。無線フレームデータには、無線基地局１００に送信するユーザデータが含まれていても良い。そして、送信処理部２３６は、生成した無線フレームデータを符号化・変調してベースバンド信号を生成し、生成したベースバンド信号を無線処理部２２０に出力する。
【００５０】
また、送信処理部２３６は、コード生成部２３５より所得するレンジングコードを無線フレーム内のレンジング領域の信号に符号化・変調して、無線処理部２２０に出力する。
図５は、無線フレームの構造を示す図である。図５に示す無線フレームが、無線基地局１００と移動局２００との間の無線通信に用いられる。ここで、本実施の形態に係る無線通信システムでは、ＴＤＤ方式により全二重通信を実現する。すなわち、１つの無線フレームを２つの時間領域に分割し、前半の時間領域を下りリンク通信に用いるＤＬサブフレームとし、後半の時間領域を上りリンク通信に用いるＵＬサブフレームとする。ＤＬサブフレームの構成やＵＬサブフレームの構成は、ＤＣＤ／ＵＣＤによって移動局２００に通知される。
【００５１】
ＤＬサブフレームでは、先頭に無線フレームの区切りを識別するためのプリアンブル領域が設けられている。このプリンアンブル領域で所定のプリアンブル信号が送信される。プリアンブル領域の後に、フレームプレフィックス（Frame Prefix）を示すフレーム制御ヘッダ（ＦＣＨ：Frame Control Header）領域が設けられている。無線フレームのＤＬ−ＭＡＰ情報を送信するためのＤＬ−ＭＡＰ領域が設けられている。移動局側では、ＦＣＨを認識して、以降に続くＤＬ−ＭＡＰ領域を認識することができる。ＤＬ−ＭＡＰ領域の後には、ＤＬ−Ｂｕｒｓｔ領域が設けられている。ここで、ＤＬ−Ｂｕｒｓｔ領域の一部は、ＵＬ−ＭＡＰ情報を送信するためのＵＬ−ＭＡＰ領域として割り当てられている。ＤＬ−Ｂｕｒｓｔ領域の残りが、各移動局宛てのユーザデータや制御メッセージを送信するための領域として割り当てられている。ＤＬ−Ｂｕｒｓｔ領域の割り当て状況は、ＤＬ−ＭＡＰ情報に記述されている。なお、ＤＣＤ／ＵＣＤを送信するためのリソース領域は、必要に応じてＤＬ−Ｂｕｒｓｔ領域の一部に割り当てられる。ＤＬ−ＭＡＰ情報には、このようなＤＣＤ／ＵＣＤの割り当て情報も含まれる。
【００５２】
ＵＬサブフレームでは、レンジングコードを送信するためのレンジング領域が設けられている。レンジング領域では、移動局２００が無線基地局１００の使用許可を受けずにレンジングコードを送信することも認められている。また、レンジング領域のうちの一部は、レンジングコードの送信用として予め決められた予約領域となっており、その旨、無線基地局１００と移動局２００との間で予め合意がなされている。すなわち、移動局２００は、ＵＣＤを取得していなくても予約領域を用いて必要に応じてレンジングコードを送信することができる。ＵＬサブフレームの残りが、移動局２００が無線基地局１００にユーザデータや制御メッセージを送信するためのＵＬ−Ｂｕｒｓｔ領域として割り当てられている。ＵＬ−Ｂｕｒｓｔ領域の割り当て状況は、ＵＬ−ＭＡＰ情報に記述されている。
【００５３】
なお、ＤＬサブフレームとＵＬサブフレームとの間には、送受信切り替え保護時間（ＴＴＧ：Tx/Rx Transition time Gap）が設けられる。また、ＵＬサブフレームと次の無線フレームのＤＬサブフレームとの間には、受送信切り替え保護時間（ＲＴＧ：Rx/Tx Transition time Gap）が設けられる。
【００５４】
ここで、無線フレーム中のリソースは、周波数軸については所定数のサブキャリアを束ねたサブチャネルと呼ばれる単位で管理され、時間軸についてはシンボルと呼ばれる単位で管理される。そして、移動局２００を含む通信対象となる複数の移動局それぞれへの割り当ては、１サブチャネルの周波数帯と所定数のシンボル（例えば、３シンボル）の時間帯とで区切られるスロットと呼ばれる領域単位で行われる。
【００５５】
図６は、コード生成部の回路例を示す図である。コード生成部２３５におけるレンジングコードの生成には、擬似乱数ビット列（ＰＲＢＳ：Pseudo Random Binary Sequence）生成器を用いることができる。ＰＲＢＳ生成器では、例えば、ｂ０〜ｂ１４で示されるシフトレジスタに設定された１５ビットのＰＲＢＳシード（seed）を用いる。ここで、ｂ０のビットが最下位ビット（ＬＳＢ：Least Significant Bit）であり、ｂ１４のビットが最上位ビット（ＭＳＢ：Most Significant Bit）である。ｂ０〜ｂ６は、ＵＬ＿ＰｅｒｍＢａｓｅ（Up Link Permutation Base）と呼ばれる。このうち、ｂ０，ｂ３，ｂ６，ｂ１４のビットの排他的論理和を取った結果を出力（Output）すると共に、シフトレジスタのＬＳＢであるｂ０に入力する。ｂ１〜ｂ１４のビットは、それぞれ１つ上位のビットにシフトする。
【００５６】
ここで、レンジングコードは、コード長１４４ビット、利用可能なコード数は２５６通りであるものとする。すなわち、１４４ビットの異なるコードが２５６通りで１セットとなる。２５６通りのコードをレンジング処理に応じたレンジングコードに対応付ける。生成可能なレンジングコードには、例えば、自局起動時のネットワークエントリ時に用いる初期レンジングコード（Initial Ranging Code）がある。また、この他にも、周期的レンジングコード（Periodic Ranging Code）、帯域要求レンジングコード（Bandwidth Request Ranging Code）およびハンドオーバレンジングコード（Hand Over Ranging Code）がある。更に、本実施の形態のＰＲＢＳ生成器では、ＤＣＤ／ＵＣＤの送信を要求するレンジングコードであるチャネル記述子要求レンジングコード（Channel Descriptor Request Ranging Code）を生成する。
【００５７】
ＰＲＢＳ生成器では、以下のようにＰＲＢＳ生成器が生成する１４４ビットのコードを取得回数によって区別して各処理のレンジングコードを生成する。例えば、１回の生成処理（すなわち、１４４回の論理演算）で取得した１４４ビットのコードが、１つのレンジングコードである。なお、以下に用いるサブグループ値Ｓ（Ｓは、０≦Ｓ≦２５５の整数）は、初期レンジングコード取得までの取得回数のオフセットを示す。
【００５８】
（１）初期レンジングコード（Ｎ個分）には、（Ｓ＋１）回目から（Ｓ＋Ｎ）回目に生成された１４４ビットのコードそれぞれが割り当てられる。
（２）周期的レンジングコード（Ｍ個分）には、（Ｓ＋Ｎ＋１）回目から（Ｓ＋Ｎ＋Ｍ）回目に生成された１４４ビットのコードそれぞれが割り当てられる。
【００５９】
（３）帯域要求レンジングコード（Ｌ個分）には、（Ｓ＋Ｎ＋Ｍ＋１）回目から（Ｓ＋Ｎ＋Ｍ＋Ｌ）回目に生成された１４４ビットのコードそれぞれが割り当てられる。
（４）ハンドオーバレンジングコード（Ｏ個分）には、（Ｓ＋Ｎ＋Ｍ＋Ｌ＋１）回目から（Ｓ＋Ｎ＋Ｍ＋Ｌ＋Ｏ）回目に生成された１４４ビットのコードそれぞれが割り当てられる。
【００６０】
（５）チャネル記述子要求レンジングコード（Ｐ個分）には、（Ｓ＋Ｎ＋Ｍ＋Ｌ＋Ｏ＋１）回目から（Ｓ＋Ｎ＋Ｍ＋Ｌ＋Ｏ＋Ｐ）回目に生成された１４４ビットのコードそれぞれが割り当てられる。
【００６１】
なお、ＵＬサブフレームのレンジング領域内の予約領域に、複数の移動局が同時に同じビット列のレンジングコードを送信してしまい競合が発生する可能性がある。このため、予約領域で送信されるレンジングコード、例えば、初期レンジングコードとして利用可能なコード数Ｎを多めに確保しておくことが望ましい（例えば、Ｎ≧１０）。このようにすることで、同じコード送信により競合が生じる確率を低減することができる。また、レンジングコードとして、より多くのコード数を確保するために、サブグループ値Ｓ＝０とすることも考えられる。
【００６２】
次に、以上のような構成を備える無線通信システムにおいて実行される処理の詳細を説明する。
図７は、基地局側レンジング処理の手順を示すフローチャートである。以下、図７に示す処理をステップ番号に沿って説明する。
【００６３】
［ステップＳ１１］メッセージ生成部１３４は、移動局２００から受け付けたレンジングコードがチャネル記述子要求レンジングコードであるか否かを判定する。チャネル記述子要求レンジングコードである場合、処理がステップＳ１２に移される。チャネル記述子要求レンジングコードでない場合、処理がステップＳ１３に移される。
【００６４】
［ステップＳ１２］メッセージ生成部１３４は、スケジューラ１３５にＤＬサブフレーム内にＤＣＤ／ＵＣＤを含める指示を１回行う。スケジューラ１３５は、メッセージ生成部１３４の指示に基づいて、ＤＬサブフレームのＤＬ−Ｂｕｒｓｔの一部にＤＣＤ／ＵＣＤを割り当てたＤＬ−ＭＡＰ情報を生成して送信処理部１３６に出力する。送信処理部１３６は、ＤＬ−ＭＡＰ情報に基づいて、ＤＣＤ／ＵＣＤを含む無線フレームデータを生成する。そして、ＤＣＤ／ＵＣＤを含む無線フレームデータが、無線処理部１２０およびアンテナ１１０を介して１回送信される。
【００６５】
［ステップＳ１３］メッセージ生成部１３４は、移動局２００から受け付けたレンジングコードが初期レンジングコードであるか否かを判定する。初期レンジングコードである場合、処理がステップＳ１４に移される。初期レンジングコードでない場合、処理がステップＳ１５に移される。
【００６６】
［ステップＳ１４］メッセージ生成部１３４は、スケジューラ１３５にＤＬサブフレーム内にＤＣＤ／ＵＣＤを含める指示を以降の無線フレーム送信間隔に合わせて３回行う。スケジューラ１３５は、メッセージ生成部１３４の指示に基づいて、ＤＬサブフレームのＤＬ−Ｂｕｒｓｔの一部にＤＣＤ／ＵＣＤを割り当てたＤＬ−ＭＡＰ情報を計３回生成して送信処理部１３６に出力する。送信処理部１３６は、スケジューラ１３５の指示により、ＤＣＤ／ＵＣＤを含む無線フレームデータを生成する。そして、ＤＣＤ／ＵＣＤを含む無線フレームデータが、無線処理部１２０およびアンテナ１１０を介して３回送信される。
【００６７】
［ステップＳ１５］メッセージ生成部１３４は、レンジングコードを受け付け、レンジング処理を継続する旨を示すレンジング応答（Ranging Response）を生成する。生成されたレンジング応答は、無線フレームデータに含まれて、無線処理部１２０およびアンテナ１１０を介して移動局２００に送信される。
【００６８】
［ステップＳ１６］通信制御部１３２は、移動局１００からの応答に基づいて、レンジングコードに応じたレンジング処理を行う。そして、メッセージ生成部１３４は、通信制御部１３２の指示に基づいて、送信電力レベルの通知要求等の制御メッセージを生成し移動局２００へ通知する。
【００６９】
なお、所定のレンジングコードを受け付けてから、ＤＣＤ／ＵＣＤを送信するタイミングは、次回の無線フレームデータの送信タイミングでも良いし、更にそれ以降の送信タイミングでも構わない。複数回送信する場合には、その周期は一定（例えば、４フレーム毎）でも良いし、可変であっても良い。送信回数も上記ステップＳ１４の例のように３回に限らず、１回でも良いし任意に複数回でも良い。送信周期や送信回数は、ＤＬ−Ｂｕｒｓｔ領域のリソース利用状況に応じて決定することも考えられる。
【００７０】
このようにして、無線基地局１００は、移動局２００から取得するチャネル記述子レンジングコードや初期レンジングコードに応じてＤＣＤ／ＵＣＤを送信する。初期レンジングコード受信時には、移動局２００の通信が起動中であり、ＤＣＤ／ＵＣＤの受信に失敗する可能性もあるため、上記ステップＳ１４に示したように複数回送信することが望ましい。
【００７１】
図８は、移動局側レンジング処理の手順を示すフローチャートである。以下、図８に示す処理をステップ番号に沿って説明する。
［ステップＳ２１］通信制御部２３２は、自局が電源オンされて起動状態であるか否かを判定する。起動状態である場合、処理がステップＳ２２に移される。起動状態でない場合、処理がステップＳ２４に移される。
【００７２】
［ステップＳ２２］通信制御部２３２は、コード生成部２３５に初期レンジングコードの生成を指示する。コード生成部２３５は、通信制御部２３２の指示に基づいて初期レンジングコードを生成する。そして、送信処理部２３６は、コード生成部２３５が生成した初期レンジングコードをレンジング領域内の予約領域の信号に対応付けて、無線基地局１００に送信する。
【００７３】
［ステップＳ２３］通信制御部２３２は、無線基地局１００から受信した信号からＤＣＤ／ＵＣＤを抽出する。通信制御部２３２は、抽出したＤＣＤ／ＵＣＤに基づいて無線フレームの基本構成を把握することができる。例えば、ＵＣＤに基づいてＵＬサブフレームにおける予約領域以外のレンジング領域を把握することができ、以降に行われる他のレンジング処理に、予約領域以外のレンジング領域を用いることができる。
【００７４】
［ステップＳ２４］通信制御部２３２は、ハンドオーバにより無線基地局の切り替え（例えば、無線基地局１００ａから無線基地局１００への切り替え）が発生しているか否かを判定する。ハンドオーバが発生した場合、処理がステップＳ２５に移される。ハンドオーバが発生していない場合、処理がステップＳ２８に移される。
【００７５】
［ステップＳ２５］通信制御部２３２は、コード生成部２３５にハンドオーバレンジングコードの生成を指示する。コード生成部２３５は、通信制御部２３２の指示に基づいてハンドオーバレンジングコードを生成する。そして、送信処理部２３６は、コード生成部２３５が生成したハンドオーバレンジングコードを、基地局情報記憶部２３３に記憶されたＵＣＤを参照してＵＬサブフレームのレンジング領域の信号に対応付け、ハンドオーバ先である無線基地局１００に送信する。ここで、移動局２００は、ハンドオーバ前に無線基地局１００のＤＣＤ／ＵＣＤを無線基地局１００ａから報知される隣接基地局情報（ＮＢＲ−ＡＤＶ：Neighbor Advertisement）として予め取得している。
【００７６】
［ステップＳ２６］通信制御部２３２は、現在無線基地局１００から送信されるＤＬ／ＵＬ−ＭＡＰ情報に含まれるＤＣＤカウントおよびＵＣＤカウントに基づいて、基地局情報記憶部２３３に記憶されたＤＣＤ／ＵＣＤの情報が、有効であるか否かを判定する。有効でない場合、処理がステップＳ２７に移される。有効である場合、処理がステップＳ３０に移される。
【００７７】
［ステップＳ２７］通信制御部２３２は、コード生成部２３５にチャネル記述子要求レンジングコードの生成を指示する。コード生成部２３５は、通信制御部２３２の指示に基づいてチャネル記述子要求レンジングコードを生成する。そして、送信処理部２３６は、コード生成部２３５が生成したチャネル記述子要求レンジングコードを、レンジング領域の予約領域の信号に対応付けて、無線基地局１００に送信する。
【００７８】
［ステップＳ２８］通信制御部２３２は、他のレンジング処理（例えば、帯域要求レンジング）が必要であるか否かを判定する。必要である場合処理がステップＳ２９に移される。必要でない場合、処理が完了する。
【００７９】
［ステップＳ２９］通信制御部２３２は、コード生成部２３５に他のレンジング処理に応じたレンジングコードの生成を指示する。コード生成部２３５は、通信制御部２３２の指示に基づいて、その他のレンジングコードを生成する。そして、送信処理部２３６は、コード生成部２３５が生成したレンジングコードを、基地局情報記憶部２３３に記憶されたＵＣＤを参照してＵＬサブフレームのレンジング領域の信号に対応付け、現在通信中の無線基地局１００に送信する。その後、通信制御部２３２は、無線基地局１００とのレンジング処理を完了する。
【００８０】
［ステップＳ３０］通信制御部２３２は、無線基地局１００からの応答に基づいて、レンジングコードに応じたレンジング処理を行う。そして、メッセージ生成部２３４は、通信制御部２３２の指示に基づいて、送信電力レベルの通知要求等の制御メッセージを生成し無線基地局１００へ通知する。
【００８１】
このようにして、移動局２００は、必要に応じて初期レンジングコードやチャネル記述子要求レンジングコードを送信し、無線基地局１００からＤＣＤ／ＵＣＤを取得する。そして、取得したＤＣＤ／ＵＣＤに基づいてレンジング処理を開始することができる。
【００８２】
図９は、移動局起動時のメッセージの流れを示すシーケンス図である。以下、図９に示す処理をステップ番号に沿って説明する。
［ステップＳ３１］移動局２００は、自局起動時に初期レンジングコードをレンジング領域内の予約領域のリソースを用いて無線基地局１００に送信する。
【００８３】
［ステップＳ３２］無線基地局１００は、移動局２００からの初期レンジングコードに応じて、ＤＣＤ／ＵＣＤを３回、４フレーム間隔で報知する。
［ステップＳ３３］無線基地局１００は、移動局２００からの初期レンジングコードを受け付け、レンジング処理の継続が可能な旨を示すレンジング応答を移動局２００に送信する。レンジング応答には、移動局２００に対する送信電力レベルや送信タイミングの調整指示等の制御メッセージが含まれる。
【００８４】
［ステップＳ３４］無線基地局１００は、移動局２００に対し、ＵＬサブフレーム内のＵＬ−Ｂｕｒｓｔ領域のリソースを割り当てたＵＬ−ＭＡＰ情報を生成し、移動局２００に送信する。
【００８５】
［ステップＳ３５］移動局２００は、無線基地局１００から割り当てられたＵＬ−Ｂｕｒｓｔ領域のリソースを用いて、レンジング応答の制御メッセージに応答する制御メッセージを生成して、無線基地局１００に送信する。
【００８６】
このようにして、移動局２００の起動時には、無線基地局１００との間で初期レンジング処理が開始され、以降の初期レンジング処理が実行される。
なお、ＤＣＤ／ＵＣＤの送信回数および送信間隔は、上記ステップＳ３２で示した値に限らず、図７における説明で示したように任意の値が予め設定される。
【００８７】
図１０は、ハンドオーバ時のメッセージの流れを示すシーケンス図である。以下、図１０に示す処理をステップ番号に沿って説明する。
［ステップＳ４１］無線基地局１００ａは、無線基地局１００のＤＣＤ／ＵＣＤをＮＢＲ−ＡＤＶとして移動局２００に送信する。
【００８８】
［ステップＳ４２］移動局２００は、上記ステップＳ４１で取得したＵＣＤに基づいて、無線基地局１００のＵＬサブフレーム内のレンジング領域を用いて、ハンドオーバレンジングコードを無線基地局１００に送信する。
【００８９】
［ステップＳ４３］移動局２００は、無線基地局１００から受信するＤＬ／ＵＬ−ＭＡＰ情報のＤＣＤカウント値およびＵＣＤカウント値を参照し、上記ステップＳ４１で取得したＤＣＤ／ＵＣＤが無効であることを検出する。そして、移動局２００は、レンジング領域内の予約領域を用いて、チャネル記述子要求レンジングコードを無線基地局１００に送信する。
【００９０】
［ステップＳ４４］無線基地局１００は、移動局２００からのハンドオーバレンジングコードを受け付け、レンジング処理の継続が可能な旨を示すレンジング応答を移動局２００に送信する。レンジング応答には、ハンドオーバレンジング処理に必要な情報を収集するための所定の制御メッセージが含まれる。
【００９１】
［ステップＳ４５］無線基地局１００は、チャネル記述子要求レンジングコードに応じて、ＤＣＤ／ＵＣＤを１回報知する。
［ステップＳ４６］無線基地局１００は、移動局２００に対し、ＵＬサブフレーム内のＵＬ−Ｂｕｒｓｔ領域のリソースを割り当てたＵＬ−ＭＡＰ情報を生成し、移動局２００に送信する。
【００９２】
［ステップＳ４７］移動局２００は、無線基地局１００から割り当てられたＵＬ−Ｂｕｒｓｔ領域のリソースを用いて、レンジング応答の制御メッセージに応答する制御メッセージを生成して、無線基地局１００に送信する。
【００９３】
このようにして、移動局２００のハンドオーバ時には、無線基地局１００との間でハンドオーバレンジング処理が開始され、以降のハンドオーバレンジング処理が実行される。このとき、ＤＣＤ／ＵＣＤが更新済みで異なるものであっても、適正なＤＣＤ／ＵＣＤを無線基地局１００に要求することができる。
【００９４】
図１０では、移動局２００が事前に取得していたＤＣＤ／ＵＣＤに基づいて送信したハンドオーバレンジングコードを無線基地局１００が受信成功した場合を示した。しかし、ＤＣＤ／ＵＣＤが無効であり、レンジング領域を正しく把握できずに送信したハンドオーバレンジングコードが無線基地局１００に正しく受信されない場合も考えられる。以下、この場合について説明する。
【００９５】
図１１は、ハンドオーバ時の他のメッセージの流れを示すシーケンス図である。以下、図１１に示す処理をステップ番号に沿って説明する。
［ステップＳ５１］無線基地局１００ａは、無線基地局１００のＤＣＤ／ＵＣＤをＮＢＲ−ＡＤＶとして移動局２００に送信する。
【００９６】
［ステップＳ５２］移動局２００は、上記ステップＳ５１で取得したＵＣＤに基づいて、無線基地局１００のＵＬサブフレーム内のレンジング領域を用いて、ハンドオーバレンジングコードを無線基地局１００に送信する。しかし、ここでは、上記ステップＳ５１で取得したＵＣＤが無線基地局１００に対して無効であるために、ハンドオーバレンジングコードが無線基地局１００に正しく受信されない。移動局２００は、無線基地局１００から毎フレームで受信するＤＬ／ＵＬ−ＭＡＰ情報のＤＣＤカウント値やＵＣＤカウント値を参照して、自局が保持しているＤＣＤ／ＵＣＤが無効であることを認識する。
【００９７】
［ステップＳ５３］移動局２００は、更に、レンジング領域内の予約領域を用いて、チャネル記述子要求レンジングコードを無線基地局１００に送信する。
［ステップＳ５４］無線基地局１００は、チャネル記述子要求レンジングコードに応じて、ＤＣＤ／ＵＣＤを１回報知する。移動局２００は、報知された有効なＤＣＤ／ＵＣＤを取得して、無効なＤＣＤ／ＵＣＤを破棄する。
【００９８】
［ステップＳ５５］移動局２００は、上記ステップＳ５２で送信したハンドオーバレンジングコードに対するレンジング応答を無線基地局１００から受信していないことを検知する。そして、移動局２００は、上記ステップＳ５４で取得したＵＣＤに基づいて、無線基地局１００のＵＬサブフレーム内のレンジング領域を用いて、再度、ハンドオーバレンジングコードを無線基地局１００に送信する。
【００９９】
［ステップＳ５６］無線基地局１００は、移動局２００からのハンドオーバレンジングコードを受け付け、レンジング処理の継続が可能な旨を示すレンジング応答を移動局２００に送信する。レンジング応答には、ハンドオーバレンジング処理に必要な情報を収集するための所定の制御メッセージが含まれる。
【０１００】
［ステップＳ５７］無線基地局１００は、移動局２００に対し、ＵＬサブフレーム内のＵＬ−Ｂｕｒｓｔ領域のリソースを割り当てたＵＬ−ＭＡＰ情報を生成し、移動局２００に送信する。
【０１０１】
［ステップＳ５８］移動局２００は、無線基地局１００から割り当てられたＵＬ−Ｂｕｒｓｔ領域のリソースを用いて、レンジング応答の制御メッセージに応答する制御メッセージを生成して、無線基地局１００に送信する。
【０１０２】
このようにして、移動局２００のハンドオーバ時には、無線基地局１００との間でハンドオーバレンジング処理が開始され、以降のハンドオーバレンジング処理が実行される。このとき、ＤＣＤ／ＵＣＤが更新済みで異なるものであっても、適正なＤＣＤ／ＵＣＤを無線基地局１００に要求することができる。更に、ハンドオーバレンジングコードが無線基地局１００に受信されなかった場合には、移動局２００は、新しいＵＣＤに基づいて、再度ハンドオーバレンジングコードを送信する。これにより、ハンドオーバレンジング処理を確実に開始することができる。
【０１０３】
図１２は、チャネル記述子変更時のメッセージの流れを示すシーケンス図である。以下、図１２に示す処理をステップ番号に沿って説明する。
［ステップＳ６１］無線基地局１００は、上位ネットワークからの更新コマンドや管理者による操作に応じて、自局で管理するＤＣＤ／ＵＣＤを更新する。
【０１０４】
［ステップＳ６２］無線基地局１００は、更新後のＤＣＤ／ＵＣＤを３回、所定の周期で報知する。
なお、ＤＣＤ／ＵＣＤの送信回数および送信周期は、任意の回数および周期が予め設定される。
【０１０５】
図１１，１２で説明した処理は、ＮＢＲ−ＡＤＶで、ＤＣＤ／ＵＣＤを未取得の無線基地局に対してハンドオーバを行う場合も同様となる。また、アイドル状態の移動局２００が隣接する無線基地局と接続更新（Network Re-entry）を行う（待ち受け局変更）の際のハンドオーバ処理に関しても同様である。
【０１０６】
このようにして、無線基地局１００は、自局セル内の移動局２００にＤＣＤ／ＵＣＤの更新を通知する。これにより、移動局２００は、常に有効なＤＣＤ／ＵＣＤを用いて無線基地局１００と通信することができる。
【０１０７】
以上で説明したように、このような無線通信システムによれば、移動局２００は、自局の必要に応じてチャネル記述子を要求するレンジングコードを生成し、通信相手の無線基地局１００に送信する。そして、無線基地局１００は、移動局２００から取得するレンジングコードに応じてチャネル記述子を報知する。移動局２００は、取得したチャネル記述子に基づいて、以降のレンジング処理を行うことができる。したがって、移動局２００は、自局の必要に応じてレンジング処理を開始することができる。更に、データ量の大きなチャネル記述子が必要なとき以外には送信されないため、従来の定期的に報知する方法に比べて無線リソースに対するオーバーヘッドが軽減される。また、移動局２００の起動時の初期レンジング時にも、遅延が発生することなく迅速に初期レンジング処理を開始することが可能となる。すなわち、無線リソースを圧迫することなく、かつ、遅延も抑止した効率的な通信が可能となる。
【０１０８】
以上、説明した実施の形態の主な技術的特徴は、以下の付記の通りである。
（付記１）  無線フレームを用いて移動局と通信する無線基地局であって、
前記無線フレームの所定の領域で前記移動局から所定のコードを受信する受信部と、
前記受信部が前記所定のコードを受信すると、前記無線フレームの構成を示す構成情報を報知する送信部と、
を有することを特徴とする無線基地局。
【０１０９】
（付記２）  前記送信部は、前記受信部が前記所定のコードとして前記構成情報の要求を示すコードを受信すると、前記構成情報を報知することを特徴とする付記１記載の無線基地局。
【０１１０】
（付記３）  前記送信部は、前記受信部が前記所定のコードとして前記移動局のネットワークエントリを示すコードを受信すると、前記構成情報を報知することを特徴とする付記１記載の無線基地局。
【０１１１】
（付記４）  前記送信部は、前記受信部が前記所定のコードとして受信したコードの種類に応じた回数、前記構成情報を報知することを特徴とする付記１記載の無線基地局。
（付記５）  前記送信部は、前記無線フレームの構成を変更したとき、変更後の構成情報を報知することを特徴とする付記１記載の無線基地局。
【０１１２】
（付記６）  無線フレームを用いて無線基地局と通信する移動局であって、
前記無線フレームの所定の領域で前記無線基地局に所定のコードを送信する送信部と、
前記無線基地局から、前記送信部が送信した前記所定のコードに応答して報知される、前記無線フレームの構成を示す構成情報を受信する受信部と、
を有することを特徴とする移動局。
【０１１３】
（付記７）  前記無線フレームは、当該無線フレームの構成のバージョンを示す情報を含んでおり、
前記送信部は、取得済みの構成情報に対応するバージョンが現在の無線フレームのバージョンと異なる場合、前記所定のコードを送信する、
ことを特徴とする付記６記載の移動局。
【０１１４】
（付記８）  前記送信部は、ハンドオーバ元の無線基地局から取得したハンドオーバ先の無線基地局の構成情報に対応するバージョンが、前記ハンドオーバ先の無線基地局の無線フレームのバージョンと異なる場合、前記所定のコードを送信することを特徴とする付記７記載の移動局。
【０１１５】
（付記９）  前記送信部は、待ち受け変更前の無線基地局から取得した待ち受け変更後の無線基地局の構成情報に対応するバージョンが、前記待ち受け変更後の無線基地局の無線フレームのバージョンと異なる場合、前記所定のコードを送信することを特徴とする請求項７記載の移動局。
【０１１６】
（付記１０）  前記受信部は、前記送信部が前記所定のコードとしてネットワークエントリを示すコードを送信した後に報知される前記構成情報を受信することを特徴とする付記６記載の移動局。
【０１１７】
（付記１１）  無線フレームを用いて通信する無線通信システムであって、
前記無線フレームの所定の領域で所定のコードを受信する第１の受信部と、
前記第１の受信部が前記所定のコードを受信すると、前記無線フレームの構成を示す構成情報を報知する第１の送信部と、
を備える無線基地局と、
前記所定の領域で前記無線基地局に前記所定のコードを送信する第２の送信部と、
前記無線基地局から、前記第２の送信部が送信した前記所定のコードに応答して報知される前記構成情報を受信する第２の受信部と、
を備える移動局と、
を有することを特徴とする無線通信システム。
【０１１８】
（付記１２）  無線基地局と移動局とが無線フレームを用いて通信する無線通信システムの無線通信方法であって、
前記移動局が、前記無線フレームの所定の領域で前記無線基地局に所定のコードを送信し、
前記無線基地局が、前記所定の領域で前記移動局から前記所定のコードを受信し、
前記無線基地局が、前記所定のコードを受信すると、前記無線フレームの構成を示す構成情報を報知し、
前記移動局が、前記無線基地局から、送信した前記所定のコードに応答して報知される前記構成情報を受信する、
ことを特徴とする無線通信方法。
【図面の簡単な説明】
【０１１９】
【図１】無線通信システムの概要を示す図である。
【図２】無線通信システムのシステム構成を示す図である。
【図３】無線基地局を示すブロック図である。
【図４】移動局を示すブロック図である。
【図５】無線フレームの構造を示す図である。
【図６】コード生成部の回路例を示す図である。
【図７】基地局側レンジング処理の手順を示すフローチャートである。
【図８】移動局側レンジング処理の手順を示すフローチャートである。
【図９】移動局起動時のメッセージの流れを示すシーケンス図である。
【図１０】ハンドオーバ時のメッセージの流れを示すシーケンス図である。
【図１１】ハンドオーバ時の他のメッセージの流れを示すシーケンス図である。
【図１２】チャネル記述子変更時のメッセージの流れを示すシーケンス図である。
【符号の説明】
【０１２０】
１  無線基地局
１ａ  受信部
１ｂ  送信部
２  移動局
２ａ  送信部
２ｂ  受信部
【図１】
2010034625.tif 000003
【図２】
2010034625.tif 000004
【図３】
2010034625.tif 000005
【図４】
2010034625.tif 000006
【図５】
2010034625.tif 000007
【図６】
2010034625.tif 000008
【図７】
2010034625.tif 000009
【図８】
2010034625.tif 000010
【図９】
2010034625.tif 000011
【図１０】
2010034625.tif 000012
【図１１】
2010034625.tif 000013
【図１２】
2010034625.tif 000014